(57)【要約】【課題】プリンタ装置が印刷中であるかどうかに拘わらず、撮像装置から送信された画像データを蓄積するようにして、利便性の向上を図る。【解決手段】ディジタルスチルカメラ１０と通信を行い、画像データを受信する第１の通信Ｉ／Ｆ２１と、第１の通信Ｉ／Ｆ２１で受信した画像データを一時的に格納する画像格納部２３と、プリンタ装置３０と通信を行い、画像格納部２３に格納した画像データをプリンタ装置３０に送信する第２の通信Ｉ／Ｆ２２とを備え、第１の通信Ｉ／Ｆ２１は、プリンタ装置３０より印刷スタート要求を受信したときに、プリンタ装置３０が印刷中であるとき、ディジタルスチルカメラ１０に対して画像データ要求を送信すると共に、この画像データ要求に応じた画像データを受信し、この受信した画像データを画像格納部２３に格納する。【選択図】  図１
2008219203.tif 000002
【特許請求の範囲】
【請求項１】
撮像装置と通信を行い、画像データを受信する第１の通信手段と、
上記第１の通信手段で受信した画像データを一時的に格納する画像格納手段と、
画像出力装置と通信を行い、上記画像格納手段に格納した画像データを画像出力装置に送信する第２の通信手段とを備え、
上記第１の通信手段は、上記撮像装置より印刷スタート要求を受信したときに、上記画像出力装置が印刷中であるとき、上記撮像装置に対して画像データ要求を送信すると共に、この画像データ要求に応じた画像データを受信し、この受信した画像データを上記画像格納手段に格納することを特徴とする画像格納装置。
【請求項２】
上記第２の通信手段は、上記画像出力装置から印刷終了通知を受信すると、上記画像格納手段に格納している画像データを上記画像出力装置に送信することを特徴とする請求項１記載の画像格納装置。
【請求項３】
上記撮像装置が複数の場合において、上記第１の通信手段は、一の撮像装置より印刷スタート要求を受信してから該一の撮像装置から送信された画像データを受信するまでの間に、他の撮像装置からの印刷スタート要求を受信したとき、上記一の撮像装置から送信された画像データを受信し上記画像格納手段に格納してから上記他の撮像装置から送信された画像データを受信し上記画像格納手段に格納することを特徴とする請求項１記載の画像格納装置。
【請求項４】
上記第１の通信手段は、無線通信手段であることを特徴とする請求項１記載の画像格納装置。
【請求項５】
該装置は、上記画像出力装置に対して着脱可能であることを特徴とする請求項１記載の画像格納装置。
【請求項６】
撮像装置より印刷スタート要求を第１の通信手段で受信するステップと、
画像出力装置が印刷中であるとき、上記撮像装置に対して画像データ要求を上記第１の通信手段より送信するステップと、
上記第１の通信手段で、上記撮像装置から送信された画像データ要求に応じた画像データを受信するステップと、
上記第１の通信手段で受信した画像データを画像格納手段に一時的に格納するステップとを有することを特徴とするデータ処理方法。
【請求項７】
第２の通信手段で上記画像出力装置から送信された印刷終了通知を受信するステップと、
上記画像格納手段に格納している画像データを上記画像出力装置に上記第２の通信手段より送信するステップとを有することを特徴とする請求項６記載のデータ処理方法。
【請求項８】
上記撮像装置が複数の場合において、上記第１の通信手段が、一の撮像装置より印刷スタート要求を受信してから該一の撮像装置から送信された画像データを受信するまでの間に、他の撮像装置からの印刷スタート要求を受信したとき、上記一の撮像装置から送信された画像データを受信し上記画像格納手段に格納してから上記他の撮像装置から送信された画像データを受信し上記画像格納手段に格納することを特徴とする請求項６記載のデータ処理方法。
【発明の詳細な説明】
【技術分野】
【０００１】
本発明は、撮像装置から送信された画像データを印刷前に格納する画像格納装置及びデータ処理方法に関する。
【背景技術】
【０００２】
ディジタル画像技術及びコンピュータシステムの発展に伴い、ディジタルカメラをＵＳＢ（Universal Serial Bus）等のシリアルケーブルでプリンタに直接接続し、パーソナルコンピュータ等の端末装置を介さずに、ディジタルカメラにより撮影された画像を印刷するダイレクトプリントが行われている。このようなダイレクトプリントには、画像メモリを内蔵する専用プリンタが用いられ、ディジタルカメラからプリンタへ、双方の通信ドライバを介して画像データを転送して印刷を行っている。
【０００３】
しかしながら、以上のようなダイレクトプリントにおいては、画像データの転送及び印刷に時間がかかる上に、１つの画像データの転送及びプリントが終了するまで、他の画像データを送信することができない。また、ダイレクトプリントは、あくまでディジタルカメラとプリンタとの１対１の接続を前提としており、１つのディジタルカメラからの画像データの印刷が終了するまで、他のディジタルカメラから画像データを送信することができない。更に、ダイレクトプリントに用いられるプリンタの画像メモリの容量には限りがあり、高解像度の画像データをディジタルカメラから送信しようとするとき、受信データをメモリに保存しきれないといった事態が発生する可能性がある。
【０００４】
そこで、特許文献１には、ディジタルカメラが所定画像の印刷時間を推定し、又は、印刷されていない画像の数を取得する手段を備え、プリンタへ出力する画像の大きさやプリント解像度を制御するプリントシステムが開示されている。また、特許文献２には、ディジタルカメラから画像データを送信して記録するプリンタ装置で、ディジタルカメラからの記録要求を受信すると、ディジタルカメラから供給される画像データの量を取得し、取得した画像データの量を一度に受信して処理可能か否かを判定し、処理可能でないと判定すると、ディジタルカメラに対して画像データの部分データを複数回に分けてディジタルカメラから受け取って印刷するプリンタ装置が開示されている。
【０００５】
ところで、ダイレクトプリントをより公共性の高い場で用いる場合、すなわちディジタルカメラで撮影を行いながら撮影された画像データを順次プリンタに転送して出力するといった場合や、複数ディジタルカメラより順次画像データを送信して出力を行うといった場合等、いちいち前回送信分の画像データの印刷終了を待たなければならなかったり、又は、プリンタのメモリが一杯になり送信した画像データが保存しきれない状態が発生し不便である。
【０００６】
このような問題点を解決するために、上述した特許文献１のように、印刷時間を早めるために画像の解像度を落としたり、また、特許文献２のように１つの画像を確実に送信しえたとしても、送信の間にディジタルカメラでの撮影や印刷出力など他の作業を中断しなくてはならないのでは不便である。
【０００７】
【特許文献１】特開２００４−２４１９８９号公報
【特許文献２】特開２００４−２５４２９６号公報
【発明の開示】
【発明が解決しようとする課題】
【０００８】
本発明は、以上のような課題に鑑みてなされたものであって、その目的は、画像出力装置が印刷中であるかどうかに拘わらず、撮像装置から送信された画像データを蓄積するようにして、利便性の向上を図ることができる画像格納装置及びデータ処理方法を提供することにある。
【課題を解決するための手段】
【０００９】
本発明に係る画像格納装置は、撮像装置と通信を行い、画像データを受信する第１の通信手段と、上記第１の通信手段で受信した画像データを一時的に格納する画像格納手段と、画像出力装置と通信を行い、上記画像格納手段に格納した画像データを画像出力装置に送信する第２の通信手段とを備える。そして、上記第１の通信手段は、上記撮像装置より印刷スタート要求を受信したときに、上記画像出力装置が印刷中であるとき、上記撮像装置に対して画像データ要求を送信すると共に、この画像データ要求に応じた画像データを受信し、この受信した画像データを上記画像格納手段に格納する。
【００１０】
また、本発明に係るデータ処理方法は、撮像装置より印刷スタート要求を第１の通信手段で受信するステップと、画像出力装置が印刷中であるとき、上記撮像装置に対して画像データ要求を上記第１の通信手段より送信するステップと、上記第１の通信手段で、上記撮像装置から送信された画像データ要求に応じた画像データを受信するステップと、上記第１の通信手段で受信した画像データを画像格納手段に一時的に格納するステップとを有する。
【発明の効果】
【００１１】
本発明では、撮像装置より印刷スタート要求を受信したときに、画像出力装置が印刷中であるとき、撮像装置に対して画像データ要求を送信すると共に、この画像データ要求に応じた画像データを受信し、この受信した画像データを画像格納手段に格納するので、画像出力装置が印刷中であるかどうかに拘わらず、撮像装置から送信された画像データを一時的に蓄積するようにして、利便性の向上を図ることができる。
【発明を実施するための最良の形態】
【００１２】
以下、本発明を適用した画像格納装置を用いたプリントシステムについて説明する。
【００１３】
図１に示すように、本発明が用いられるプリントシステム１は、撮像装置となるディジタルスチルカメラ１０と、このディジタルスチルカメラ１０で撮影された画像データを受信し格納する画像格納装置２０と、この画像格納装置２０に格納された画像データを印刷する画像出力装置となるプリンタ装置３０とを備えている。ここで、画像格納装置２０は、本発明が適用された装置であって、ディジタルスチルカメラ１０から送信された画像データを一時的に格納し、格納した画像データをプリンタ装置３０で順次印刷されるようにするものである。そして、この画像格納装置２０は、プリンタ装置３０の通信Ｉ／Ｆに直接接続される。図１の例では、ディジタルスチルカメラ１０−１，１０−２，１０−３の３台が画像格納装置２０と通信する状態を示しているが、ディジタルスチルカメラの台数は、特に限定されるものではなく、１台でも良く、また、４台以上であっても良い。以下、単に、ディジタルスチルカメラ１０−１，１０−２，１０−３をディジタルスチルカメラ１０ともいう。
【００１４】
このプリントシステム１に用いられるディジタルスチルカメラ１０は、図２に示すように、被写体を撮像する撮像部１１と、撮像部１１で撮像された画像データを保存するメモリ１２と、ユーザが操作する操作部１３と、画像格納装置２０と通信を行うカメラ通信Ｉ／Ｆ１４と、全体の動作を制御するカメラ制御部１５とを備えている。
【００１５】
撮像部１１は、複数のレンズやＣＣＤ（Charge-Coupled Devices）素子、ＣＭＯＳ（Complementary Metal-Oxide Semiconducto））等の撮像素子を備えており、所定の画像処理、Ａ／Ｄ変換処理を行ってメモリに、撮影した画像データを保存する。
【００１６】
メモリ１２は、内蔵された半導体メモリや着脱可能な半導体メモリを記憶素子に用いるＩＣカード、光ディスク、磁気ディスク等である。メモリ１２は、このような記録媒体に、撮像された画像データ等をディジタル信号でＪＰＥＧ（Joint Photographic Experts Group）形式、Ｅｘｉｆ（Exchangeable Image File）形式、ＴＩＦＦ（Tagged Image Film Format）形式で保存する。
【００１７】
操作部１３は、押しボタン等で構成され、シャッタボタン、メモリ１２に保存されている画像データを画像格納装置２０を経由してプリンタ装置３０で印刷するための印刷ボタン等の詳細な機能の設定ボタン等で構成されている。
【００１８】
カメラ通信Ｉ／Ｆ１４は、ブルートゥース（Bluetooth）、ＩＥＥＥ（the Institute of Electrical and Electronic Engineers）８０２、ＩＥＥＥ１３９４等の無線通信のインタフェースに従ったものであり、操作部１３でユーザによって入力された印刷スタート要求といったコマンドや操作部１３をユーザが操作することによって選択したメモリ１２に格納された画像データを画像格納装置２０に送信する。なお、本発明において、このカメラ通信Ｉ／Ｆ１４は、有線のＩ／Ｆであっても良い。
【００１９】
カメラ制御部１５は、動作制御プログラムが内蔵されたＲＯＭ（Read Only Memory）や演算部を備えており、操作部１３の操作に従って各部の動作を制御する。例えば、カメラ制御部１５は、操作部１３のシャッタボタンが押されると、押されたタイミングで、撮像素子が取り込んだ画像データをメモリ１２に格納する。また、カメラ制御部１５は、操作部１３で、メモリ１２に格納されている選択された画像データの印刷スタート操作が行われると、カメラ通信Ｉ／Ｆ１４より印刷スタート要求や画像データを画像格納装置２０に送信する。
【００２０】
なお、本発明では、上述したディジタルスチルカメラ１０の他、アナログのスチルカメラ、ディジタル又はアナログのビデオカメラであってもよい。
【００２１】
以上のようなディジタルスチルカメラ１０から送信された画像データ等を受信する画像格納装置２０は、本発明が適用された装置であり、図１に示すように、プリンタ装置３０に設けられたジャックに直接接続されるものであり、プリンタ装置３０に対して付属的に取り付けられる、例えば携帯可能な大きさのものである。この画像格納装置２０は、図３に示すように、ディジタルスチルカメラ１０のカメラ通信Ｉ／Ｆ１４と通信を行う第１の通信Ｉ／Ｆ２１と、プリンタ装置３０と通信Ｉ／Ｆと通信を行う第２の通信Ｉ／Ｆ２２と、画像データを格納する画像格納部２３と、プログラムや送受信データが一時的に格納されるＲＡＭ（Random Access Memory）２４と、全体の動作を制御する制御部２５とを備える。
【００２２】
第１の通信Ｉ／Ｆ２１は、上述のディジタルスチルカメラ１０のカメラ通信Ｉ／Ｆ１４と通信を行うものであり、ブルートゥース、ＩＥＥＥ８０２、ＩＥＥＥ１３９４等の無線通信のインタフェースに従って、ディジタルスチルカメラ１０のカメラ通信Ｉ／Ｆ１４から送信された印刷スタート要求や画像データを受信し、ＲＡＭ２４に出力する。
【００２３】
第２の通信Ｉ／Ｆ２２は、プリンタ装置３０のプリンタ通信Ｉ／Ｆと通信を行うものであり、例えば、プラグを有し、プリンタ装置３０のジャックに直接接続され、ＵＳＢと言った通信インタフェースに従って通信を行う。具体的に、第２の通信Ｉ／Ｆ２２は、プリンタ装置３０のプリンタＩ／Ｆに対して印刷スタート要求や印刷する画像データを送信すると共に、プリンタ装置３０のプリンタＩ／Ｆより送信された印刷終了等のステータス通知を受信する。
【００２４】
画像格納部２３は、例えばフラッシュメモリと言った半導体メモリであり、印刷するためにディジタルスチルカメラ１０から送信された画像データを格納する。したがって、この画像格納部２３は、少なくとも１枚以上の画像データを格納する容量が必要であり、数ＭＢ程度以上の容量の半導体メモリが用いられる。画像格納部２３は、キャッシュメモリとして機能し、印刷が終了すると、印刷が終了した画像データを順次消去する。この画像格納部２３は、印刷する画像データを、ユーザによって消去操作がされるまで保存するものではないことから、例えば、ユーザが画像格納装置２０を紛失した場合であっても、画像に示された個人情報が漏洩することを防止することができる。
【００２５】
ＲＡＭ２４は、制御プログラム等や送受信する画像データが一時的に記憶される。
【００２６】
制御部２５は、演算部や制御プログラムが格納されたＲＯＭ等を備えており、制御プログラムに従って全体の動作を制御する。例えば、制御部２５は、ディジタルスチルカメラ１０から印刷要求に次いで画像データを受信した際に、プリンタ装置３０が他の画像データの印刷動作中であるとき、ディジタルスチルカメラ１０から送信された印刷のための画像データを画像格納部２３に格納し、印刷待ちの状態にする。
【００２７】
以上のような画像格納装置２０は、携帯可能な大きさであって、プリンタ装置３０のジャックに直接接続される。この画像格納装置２０が接続されるプリンタ装置３０は、インクジェットプリンタ、昇華型プリンタ、レーザプリンタ等であり、図４に示すように、画像格納装置２０が接続されるプリンタ通信Ｉ／Ｆ３１と、印刷する画像データ等がロードされるＲＡＭ３２と、画像データを用紙に印刷する印刷部３３と、操作信号を入力する操作部３４と、動作状況等を表示する表示部３５と、全体の動作を制御する制御部３６とを備える。
【００２８】
プリンタ通信Ｉ／Ｆ３１は、画像格納装置２０の第２の通信Ｉ／Ｆ２２のプラグが直接接続されるジャック等を有し、ＵＳＢと言った通信インタフェースに従って通信を行う。例えば、プリンタ通信Ｉ／Ｆ３１には、画像格納装置２０の第２の通信Ｉ／Ｆ２２から印刷のため送信された画像データや印刷スタート要求を受信すると共に、印刷終了等のステータス通知を画像格納装置２０の第２の通信Ｉ／Ｆ２２に送信する。
【００２９】
ＲＡＭ３２は、制御プログラム等や送受信する画像データが一時的に記憶される。
【００３０】
印刷部３３は、インクリボンのインクを用紙にサーマルヘッドによって昇華させて転写する熱転写型のヘッドやインクを吐出して印刷を行うインクジェットのヘッド等を備えており、ＲＡＭ３２からの印刷データに応じて用紙に印刷をする。
【００３１】
操作部３４は、電源ボタン、紙送りボタン、リセットボタン等押しボタンで構成されており、ユーザの操作に応じて操作信号を発生して制御部３６に入力する。また、表示部３５は、ＬＥＤ（Light Emitting Diode）、ＬＣＤ（Liquid Crystal Display）等で構成されており、動作状況を表示する。
【００３２】
制御部３６は、演算部や制御プログラムが格納されたＲＯＭ等を備えており、制御プログラムに従って全体の動作を制御する。例えば、制御部３６は、プリンタ通信Ｉ／Ｆ３１より入力された画像データから印刷用制御データを生成したり、画像データファイルの画像データに対して色変換、階調変換などの画像処理を施したり、ダイレクトプリントに関する制御情報や画像データファイルの転送用プロトコルに従って処理を行う。
【００３３】
なお、このプリンタ装置３０に接続される画像格納装置２０は、ＵＳＢによってプリンタ装置３０に直接接続される他、有線や無線で他のインタフェース規格に従ってプリンタ装置３０に接続されても良い。
【００３４】
次に、以上のようなプリントシステム１に用いられるディジタルスチルカメラ１０、画像格納装置２０及びプリンタ装置３０の通信プロトコルアーキテクチャについて図５及び図６を用いて説明する。図５は、ディジタルスチルカメラ１０と画像格納装置２０との通信プロトコルアーキテクチャを示す。図５に示すように、ディジタルスチルカメラ１０及び画像格納装置２０は、ワイヤレスＬＡＮ物理層４１，５１上にＰＴＰ（Picture Transfer Protocol）トランスポート層４２，５２が設けられ、画像転送プロトコルであるＰＴＰトランスポート層４２，５２上にＤＰＳ（Direct Print Service,Digital Photo System,Digital imaging Protocol print Service）層４３，５３が形成され、ＤＰＳ層４３，５３上にアプリケーション層４４，５４が設けられる。そして、ディジタルスチルカメラ１０と画像格納装置２０との間で無線通信を行うとき、図５に示すように、ディジタルスチルカメラ１０のアプリケーション層４４には、ソフトウェアコンポーネントとして、ストレージサーバ４４ａとプリントクライアント４４ｂが設けられる。また、画像格納装置２０のアプリケーション層５４には、ストレージクライアント５４ａとプリントサーバ５４ｂが設けられる。
【００３５】
また、図６は、画像格納装置２０とプリンタ装置３０との通信プロトコルアーキテクチャを示す。図６に示すように、画像格納装置２０及びプリンタ装置３０は、ＵＳＢ物理層５５，６１を有している。また、プリンタ装置３０は、ＵＳＢ物理層６１上に、ＰＴＰトランスポート層６２が設けられ、ＰＴＰトランスポート層６２上にＤＰＳ層６３が形成され、ＤＰＳ層６３上にアプリケーション層６４が設けられる。そして、画像格納装置２０とプリンタ装置３０の間で無線通信を行うとき、図６に示すように、画像格納装置２０のアプリケーション層５４には、ソフトウェアコンポーネントとして、ストレージサーバ５４ｃとプリントクライアント５４ｄが設けられる。また、プリンタ装置３０のアプリケーション層６４には、ストレージクライアント６４ａとプリントサーバ６４ｂが設けられる。このような構成とすることで、ディジタルスチルカメラ１０は、画像格納装置２０をプリンタ装置３０としてみなし、また、プリンタ装置３０は、画像格納装置２０をディジタルスチルカメラ１０としてみなすことができる。
【００３６】
ディジタルスチルカメラ１０、画像格納装置２０及びプリンタ装置３０のＤＰＳ層４３，５３，６３は、ＰＴＰプロトコルとのマッピングを行い、ＤＰＳ層４３，５３，６３内に設けられるＤＰＳディスカバリは、通信可能な状態になったとき、相手機器と、相手機器がＤＰＳ機能を有するかどうかのネゴシエーションを行う。
【００３７】
ネゴシエーションにより互いにＤＰＳ機能を有することを認識すると、各機器１０，２０，３０は、アプリケーションを制御して通信を開始する。各機器１０，２０，３０のアプリケーション層４４，５４，６４は、プリントサーバ５４ｂ，６４ｂ及びプリントクライアント４４ｂ，５４ｄ、ストレージサーバ４４ａ，５４ｃ及びストレージクライアント５４ａ，６４ａで通信を行い、クライアントからの要求にサーバが応え、その結果をクライアントに通知し、また、サーバからの通知にクライアントが応え、サーバにその受け取り確認を行うようになっている。そして、各機器１０，２０，３０が互いにＤＰＳ機能を有するかどうかのネゴシエーションを行った後、ディジタルスチルカメラ１０は、画像格納装置２０を介してプリンタ装置３０に対して設定可能な能力に関するネゴシエーションを行い、出力制御を行えるようにする。
【００３８】
次に、１台のディジタルスチルカメラ１０から画像格納装置２０に印刷する画像データを送信し、プリンタ装置３０で印刷する例を説明する。図７に示すように、先ず、画像格納装置２０は、ステップＳ１において、画像格納装置２０は、ディジタルスチルカメラ１０から印刷スタート要求を受信すると、ステップＳ２において、プリンタ装置３０が印刷中であるかどうかを判断し、印刷中でないとき、詳細を図８に示すステップＳ１０に進み、印刷中であるとき、詳細を図９に示すステップＳ３０に進む。そこで、次に、図８を用いて、プリンタ装置３０が印刷中でないときの具体的処理を説明する。
【００３９】
画像格納装置２０は、ステップＳ１１において、プリントサーバ５４ｂでディジタルスチルカメラ１０のプリントクライアント４４ｂから送信された印刷スタート要求を受信すると、次いで、ステップＳ１２において、受信した印刷スタート要求をプリントクライアント５４ｄに受け渡し、ステップＳ１３において、印刷スタート要求をプリントクライアント５４ｄよりプリンタ装置３０のプリントサーバ６４ｂに送信する。なお、ステップＳ１１でディジタルスチルカメラ１０から印刷スタート要求を受信した際に、画像格納装置２０は、図７のステップＳ２で示したプリンタ装置３０が印刷中であるかの判断を行うことになる。
【００４０】
ステップＳ１４において、画像格納装置２０は、ストレージサーバ５４ｃでプリンタ装置３０のストレージクライアント６４ａから送信された画像データ要求を受信すると、次いで、ステップＳ１５において、この画像データ要求をストレージクライアント５４ａに受け渡し、ステップＳ１６において、この画像データ要求をディジタルスチルカメラ１０のストレージサーバ４４ａに送信する。ここで、ディジタルスチルカメラ１０は、ステップＳ１７において、ストレージデバイスであるメモリ１２より印刷のためにユーザによって選択された画像データをストレージサーバ４４ａに読み出し、次いで、ステップＳ１８において、ストレージサーバ４４ａより画像格納装置２０のストレージクライアント５４ａにメモリ１２より読み出した画像データを送信する。画像格納装置２０は、画像データをストレージクライアント５４ａで受信すると、ステップＳ１９において、この画像データをストレージサーバ５４ｃに受け渡し、ステップＳ２０において、ストレージサーバ５４ｃより画像データをプリンタ装置３０のストレージクライアント６４ａに送信する。
【００４１】
ここで、プリンタ装置３０は、ストレージクライアント６４ａで受信した画像データに基づいて印刷データを生成し、ステップＳ２１において、プリントサーバ６４ｂよりプリントデバイスである印刷部３３に出力する。かくして、印刷部３３では、ディジタルスチルカメラ１０から送信された画像データが印刷されることになる。そして、印刷が終了すると、プリンタ装置３０は、ステップＳ２２において、印刷がスタートされたことを示すステータス通知をプリントサーバ６４ｂより画像格納装置２０のプリントクライアント５４ｄに送信する。画像格納装置２０は、印刷がスタートされたことを示すステータス通知をプリントクライアント５４ｄで受信すると、ステップＳ２３において、このステータス通知をプリントサーバ５４ｂに受け渡し、プリントサーバ５４ｂは、ステップＳ２４において、ディジタルスチルカメラ１０のプリントクライアント４４ｂにステータス通知を送信する。かくして、ディジタルスチルカメラ１０を使用しているユーザは、プリンタ装置３０での印刷が開始されたことを知ることができる。
【００４２】
次に、図９を用いて、プリンタ装置３０が印刷中のときの具体的処理を説明する。
【００４３】
画像格納装置２０は、ステップＳ３１において、プリントサーバ５４ｂでディジタルスチルカメラ１０のプリントクライアント４４ｂから送信された印刷スタート要求を受信すると、ここで、図７のステップＳ２で示したプリンタ装置３０が印刷中であるかの判断を行う。これは、順次プリンタ装置３０から送信されるステータス通知によって判断することができる。そして、プリンタ装置３０が印刷中のとき、ステップＳ３２において、画像格納装置２０は、印刷スタート要求をプリンタ装置３０に送信することなく、ストレージクライアント５４ａよりディジタルスチルカメラ１０のストレージサーバ４４ａに対して、印刷する画像データの画像データ要求を送信する。すると、ディジタルスチルカメラ１０では、ステップＳ３３において、ストレージデバイスであるメモリ１２より印刷のため選択された画像データをストレージサーバ４４ａに読み出し、ステップＳ３４において、ストレージサーバ４４ａより画像格納装置２０のストレージクライアント５４ａに送信する。画像格納装置２０は、ストレージクライアント５４ａで画像データを受信すると、ステップＳ３５において、受信した画像データを、印刷待機のため、ストレージデバイスである画像格納部２３に格納する。
【００４４】
画像格納装置２０は、ステップＳ３６において、プリントクライアント５４ｄで、プリンタ装置３０のプリントサーバ６４ｂから送信された印刷終了を示すステータス通知を受信すると、ステップＳ３７において、受信したステータス通知を、プリントサーバ５４ｂに受け渡し、ステップＳ３８において、ユーザに印刷が終了したことを知らせるため、プリントサーバ５４ｂよりディジタルスチルカメラ１０のプリントクライアント４４ｂに対して、印刷終了を示すステータス通知を送信する。
【００４５】
ステップＳ３９において、画像格納装置２０は、プリントサーバ５４ｂより印刷スタート要求をプリントクライアント５４ｄに受け渡し、ステップＳ４０において、プリントクライアント５４ｄより印刷スタート要求をプリンタ装置３０のプリントサーバ６４ｂに送信する。ステップＳ４１において、画像格納装置２０は、ストレージサーバ５４ｃでプリンタ装置３０のストレージクライアント６４ａから送信された画像データ要求を受信すると、次いで、ステップＳ４２において、印刷待機状態にあった画像格納部２３に格納されている画像データをストレージクライアント５４ａに読み出し、ステップＳ４３において、読み出した画像データをストレージサーバ５４ｃに受け渡し、ステップＳ４４において、ストレージサーバ５４ｃより画像データをプリンタ装置３０のストレージクライアント６４ａに送信する。
【００４６】
ここで、プリンタ装置３０は、ストレージクライアント６４ａで受信した画像データに基づいて印刷データを生成し、ステップＳ４５において、プリントサーバ６４ｂよりプリントデバイスである印刷部３３に出力する。かくして、印刷部３３では、ディジタルスチルカメラ１０から送信され、画像格納装置２０に格納されて印刷待ちの状態にあった画像データが印刷されることになる。そして、印刷が開始すると、プリンタ装置３０は、ステップＳ４６において、印刷がスタートされたことを示すステータス通知をプリントサーバ６４ｂより画像格納装置２０のプリントクライアント５４ｄに送信する。画像格納装置２０は、印刷がスタートされたことを示すステータス通知をプリントクライアント５４ｄで受信すると、ステップＳ４７において、このステータス通知をプリントサーバ５４ｂに受け渡し、プリントサーバ５４ｂは、ステップＳ４８において、ディジタルスチルカメラ１０のプリントクライアント４４ｂにステータス通知を送信する。かくして、ディジタルスチルカメラ１０を使用しているユーザは、プリンタ装置３０での印刷が開始されたことを知ることができる。なお、この印刷が終了したときには、ステップＳ３６〜ステップＳ３８の印刷終了を示すステータス通知がプリンタ装置３０よりディジタルスチルカメラ１０に対して送信されることになる。
【００４７】
以上、図７乃至図９では、印刷のための画像データを送信するディジタルスチルカメラ１０が１台の場合を説明したが、次に、画像データを送信するディジタルスチルカメラ１０が複数台の場合、ここでは２台の場合を説明する。この場合も、プリンタ装置３０が印刷中であるかどうかによって処理が異なるが、この判断は、上述したように、順次プリンタ装置３０から送信されるステータス通知によって判断することができる。そこで、先ず、プリンタ装置３０が印刷中でないときに、ディジタルスチルカメラ１０−１、１０−２の２台から印刷要求がある場合を図１０を参照して説明する。
【００４８】
画像格納装置２０は、ステップＳ５１及びステップＳ５２において、プリントサーバ５４ｂでディジタルスチルカメラ１０−１のプリントクライアント４４ｂから送信された印刷スタート要求とディジタルスチルカメラ１０−２のプリントクライアント４４ｂから送信された印刷スタート要求を連続して受信すると、ステップＳ５３において、プリントサーバ５４ｂからディジタルスチルカメラ１０−１についての印刷スタート要求をプリントクライアント５４ｄに受け渡し、ステップＳ５４において、ディジタルスチルカメラ１０−１についての印刷スタート要求をプリントクライアント５４ｄからプリンタ装置３０のプリントサーバ６４ｂに送信する。
【００４９】
すると、ステップＳ５５において、画像格納装置２０は、ストレージサーバ５４ｃでプリンタ装置３０のストレージクライアント６４ａから送信された画像データ要求を受信すると、ステップＳ５６において、この画像データ要求をストレージクライアント５４ａに受け渡し、ステップＳ５７において、この画像データ要求をディジタルスチルカメラ１０−１のストレージサーバ４４ａに送信する。また、ステップＳ５８において、ディジタルスチルカメラ１０−２の印刷スタート要求に対する処理として、画像格納装置２０は、ストレージクライアント５４ａより画像データ要求をディジタルスチルカメラ１０−２のストレージサーバ４４ａに送信する。
【００５０】
ここで、ディジタルスチルカメラ１０−１は、ステップＳ５９において、ストレージデバイスであるメモリ１２より印刷のためにユーザによって選択された画像データをストレージサーバ４４ａに読み出し、次いで、ステップＳ６０において、ストレージサーバ４４ａより画像格納装置２０のストレージクライアント５４ａにメモリ１２より読み出した画像データを送信する。
【００５１】
画像格納装置２０は、画像データをストレージクライアント５４ａで受信すると、ステップＳ６１において、この画像データをストレージサーバ５４ｃに受け渡し、ステップＳ６２において、ストレージサーバ５４ｃより画像データをプリンタ装置３０のストレージクライアント６４ａに送信する。ここで、プリンタ装置３０は、ストレージクライアント６４ａで受信した画像データに基づいて印刷データを生成し、ステップＳ６３において、プリントサーバ６４ｂよりプリントデバイスである印刷部３３に出力する。かくして、印刷部３３では、ディジタルスチルカメラ１０−１から送信された画像データが印刷されることになる。
【００５２】
一方、画像格納装置２０は、ディジタルスチルカメラ１０−１から送信された画像データを印刷しているとき、並行して、ディジタルスチルカメラ１０−２からの画像データを受け付ける。すなわち、ディジタルスチルカメラ１０−２は、ステップＳ６４において、ストレージデバイスであるメモリ１２より印刷のためにユーザによって選択された画像データをストレージサーバ４４ａに読み出し、次いで、ステップＳ６５において、ストレージサーバ４４ａより画像格納装置２０のストレージクライアント５４ａにメモリ１２より読み出した画像データを送信する。画像格納装置２０は、ディジタルスチルカメラ１０−２からの画像データをストレージクライアント５４ａで受信すると、ステップＳ６６において、受信した画像データを、印刷待機のため、ストレージデバイスである画像格納部２３に格納する。
【００５３】
ところで、ディジタルスチルカメラ１０−１から送信された画像データの印刷が開始すると、プリンタ装置３０は、ステップＳ６７において、ディジタルスチルカメラ１０−１から送信された画像データの印刷が開始されたことを示すステータス通知をプリントサーバ６４ｂより画像格納装置２０のプリントクライアント５４ｄに送信する。画像格納装置２０は、印刷が開始されたことを示すステータス通知をプリントクライアント５４ｄで受信すると、ステップＳ６８において、このステータス通知をプリントサーバ５４ｂに受け渡し、プリントサーバ５４ｂは、ステップＳ６９において、ディジタルスチルカメラ１０−１のプリントクライアント４４ｂにステータス通知を送信する。かくして、ディジタルスチルカメラ１０−１を使用しているユーザは、プリンタ装置３０での印刷が開始されたことを知ることができる。また、ステップＳ７０において、プリントサーバ５４ｂは、ディジタルスチルカメラ１０−２のプリントクライアント４４ｂに、ディジタルスチルカメラ１０−１から送信された画像データの印刷が開始されたことをユーザに知らせるため、ステータス通知を送信する。
【００５４】
この後、ディジタルスチルカメラ１０−１から送信された画像データの印刷が終了すると、上記図９に示したステップＳ３６〜ステップＳ３９に示したような印刷終了を示すステータス通知がディジタルスチルカメラ１０−１，１０−２に対して行われ、次いで、図９のステップＳ４２からステップＳ４８に示したような印刷がスタートされたことを示すステータス通知がディジタルスチルカメラ１０−２に対して行われることになる。
【００５５】
また、図１１を用いて、プリンタ装置３０が印刷中でないときに、ディジタルスチルカメラ１０−１、１０−２の２台から印刷要求がある場合の他の例を説明する。
【００５６】
画像格納装置２０は、ステップＳ８１において、プリントサーバ５４ｂでディジタルスチルカメラ１０−１のプリントクライアント４４ｂから送信された印刷スタート要求を受信すると、次いで、ステップＳ８２において、プリントサーバ５４ｂからディジタルスチルカメラ１０−１についての印刷スタート要求をプリントクライアント５４ｄに受け渡し、ステップＳ８３において、ディジタルスチルカメラ１０−１についての印刷スタート要求をプリントクライアント５４ｄからプリンタ装置３０のプリントサーバ６４ｂに送信する。
【００５７】
すると、ステップＳ８４において、画像格納装置２０は、ストレージサーバ５４ｃでプリンタ装置３０のストレージクライアント６４ａから送信された画像データ要求を受信すると、ステップＳ８５において、この画像データ要求をストレージクライアント５４ａに受け渡し、ステップＳ８６において、この画像データ要求をディジタルスチルカメラ１０−１のストレージサーバ４４ａに送信する。
【００５８】
本例では、画像格納装置２０がディジタルスチルカメラ１０−１に対して画像データ要求を送信した後、すなわちステップＳ８６の後にディジタルスチルカメラ１０−２から印刷スタート要求を受信することが図１０と異なる点である。すなわち、画像格納装置２０は、ステップＳ８７において、プリントサーバ５４ｂでディジタルスチルカメラ１０−２のプリントクライアント４４ｂから送信された印刷スタート要求を受信すると、次いで、ステップＳ８８において、ストレージクライアント５４ａより画像データ要求をディジタルスチルカメラ１０−１のストレージサーバ４４ａに送信する。
【００５９】
ディジタルスチルカメラ１０−１では、ステップＳ８９において、ストレージデバイスであるメモリ１２より印刷のためにユーザによって選択された画像データをストレージサーバ４４ａに読み出し、次いで、ステップＳ９０において、ストレージサーバ４４ａより画像格納装置２０のストレージクライアント５４ａにメモリ１２より読み出した画像データを送信する。
【００６０】
画像格納装置２０は、画像データをストレージクライアント５４ａで受信すると、ステップＳ９１において、この画像データをストレージサーバ５４ｃに受け渡し、ステップＳ９２において、ストレージサーバ５４ｃより画像データをプリンタ装置３０のストレージクライアント６４ａに送信する。ここで、プリンタ装置３０は、ストレージクライアント６４ａで受信した画像データに基づいて印刷データを生成し、ステップＳ９３において、プリントサーバ６４ｂよりプリントデバイスである印刷部３３に出力する。かくして、印刷部３３では、ディジタルスチルカメラ１０−１から送信された画像データが印刷されることになる。
【００６１】
ところで、画像格納装置２０は、ディジタルスチルカメラ１０−１から送信された画像データを印刷しているとき、並行して、ディジタルスチルカメラ１０−２からの画像データを受け付ける。すなわち、ステップＳ９４において、ディジタルスチルカメラ１０−２は、ストレージデバイスであるメモリ１２より印刷のためにユーザによって選択された画像データをストレージサーバ４４ａに読み出し、次いで、ステップＳ９５において、ストレージサーバ４４ａより画像格納装置２０のストレージクライアント５４ａにメモリ１２より読み出した画像データを送信する。画像格納装置２０は、ディジタルスチルカメラ１０−２からの画像データをストレージクライアント５４ａで受信すると、ステップＳ９６において、受信した画像データを、印刷待機のため、ストレージデバイスである画像格納部２３に格納する。
【００６２】
ところで、ディジタルスチルカメラ１０−１から送信された画像データの印刷が開始すると、プリンタ装置３０は、ステップＳ９７において、ディジタルスチルカメラ１０−１から送信された画像データの印刷が開始されたことを示すステータス通知をプリントサーバ６４ｂより画像格納装置２０のプリントクライアント５４ｄに送信する。画像格納装置２０は、印刷が開始されたことを示すステータス通知をプリントクライアント５４ｄで受信すると、ステップＳ９８において、このステータス通知をプリントサーバ５４ｂに受け渡し、プリントサーバ５４ｂは、ステップＳ９９において、ディジタルスチルカメラ１０−１のプリントクライアント４４ｂにステータス通知を送信する。かくして、ディジタルスチルカメラ１０−１を使用しているユーザは、プリンタ装置３０での印刷が開始されたことを知ることができる。また、ステップＳ１００において、プリントサーバ５４ｂは、ディジタルスチルカメラ１０−２のプリントクライアント４４ｂに、ディジタルスチルカメラ１０−１から送信された画像データの印刷が開始されたことをユーザに知らせるため、ステータス通知を送信する。
【００６３】
この後、ディジタルスチルカメラ１０−１から送信された画像データの印刷が終了すると、上記図９に示したステップＳ３６〜ステップＳ３９に示したような印刷終了を示すステータス通知がディジタルスチルカメラ１０−１，１０−２に対して行われ、次いで、図９のステップＳ４２からステップＳ４８に示したような印刷がスタートされたことを示すステータス通知がディジタルスチルカメラ１０−２に対して行われることになる。
【００６４】
図１０及び図１１を用いて、印刷のための画像データを送信するディジタルスチルカメラ１０が２台の場合で、プリンタ装置３０が印刷中でない場合を説明したが、次に、印刷中の場合について図１２を参照して説明する。
【００６５】
画像格納装置２０は、ステップＳ１１１及びステップＳ１１２において、プリントサーバ５４ｂでディジタルスチルカメラ１０−１のプリントクライアント４４ｂから送信された印刷スタート要求とディジタルスチルカメラ１０−２のプリントクライアント４４ｂから送信された印刷スタート要求を連続して受信すると、プリンタ装置３０が印刷中のとき、ステップＳ１１３において、印刷スタート要求をプリンタ装置３０に送信することなく、ストレージクライアント５４ａよりディジタルスチルカメラ１０−１のストレージサーバ４４ａに対して、印刷する画像データの画像データ要求を送信し、連続して、ステップＳ１１４において、ストレージクライアント５４ａよりディジタルスチルカメラ１０−２のストレージサーバ４４ａに対して、印刷する画像データの画像データ要求を送信する。
【００６６】
すると、ディジタルスチルカメラ１０−１では、ステップＳ１１５において、ストレージデバイスであるメモリ１２より印刷のため選択された画像データをストレージサーバ４４ａに読み出し、ステップＳ１１６において、ストレージサーバ４４ａより画像格納装置２０のストレージクライアント５４ａに送信する。また、ディジタルスチルカメラ１０−２では、ステップＳ１１７において、ストレージデバイスであるメモリ１２より印刷のため選択された画像データをストレージサーバ４４ａに読み出し、ステップＳ１１８において、ストレージサーバ４４ａより画像格納装置２０のストレージクライアント５４ａに送信する。そして、画像格納装置２０は、ストレージクライアント５４ａでディジタルスチルカメラ１０−１からの画像データを受信すると、ステップＳ１１９において、受信したディジタルスチルカメラ１０−１からの画像データを、印刷待機のため、ストレージデバイスである画像格納部２３に格納する。また、ステップＳ１２０において、画像格納装置２０は、ストレージクライアント５４ａでディジタルスチルカメラ１０−２からの画像データを受信すると、受信したディジタルスチルカメラ１０−２からの画像データを、印刷待機のため、ストレージデバイスである画像格納部２３に格納する。
【００６７】
画像格納装置２０は、ステップＳ１２１において、プリントクライアント５４ｄで、プリンタ装置３０のプリントサーバ６４ｂから送信された印刷終了を示すステータス通知を受信すると、ステップＳ１２２において、受信したステータス通知を、プリントサーバ５４ｂに受け渡し、これを受けて、プリントサーバ５４ｂは、ステップＳ１２３において、プリントクライアント５４ｄに対して、画像格納部２３に格納されてているディジタルスチルカメラ１０ー１から送信された画像データを印刷するための印刷スタート要求をプリントクライアント５４ｄに受け渡す。そして、画像格納装置２０は、ステップＳ１２４において、プリントクライアント５４ｄからプリンタ装置３０のプリントサーバ６４ｂに対してディジタルスチルカメラ１０−１の画像データを印刷するための印刷スタート要求を送信する。なお、ここで、画像格納装置２０は、ディジタルスチルカメラ１０−１のユーザに対してこれから印刷が開始されることを知らせるため、ステータス通知を、ディジタルスチルカメラ１０−１に送信するようにしても良い。
【００６８】
この後、プリンタ装置３０では、上記図９のステップＳ４１からステップＳ４８で示したように、画像データ要求を画像格納装置に対して行い、次いで、画像データを受信すると、ディジタルスチルカメラ１０−１より送信され画像格納装置２０に格納されていた画像データの印刷を行い、次いで、ディジタルスチルカメラ１０−２から送信され画像格納装置２０に格納されていた画像データ要求を行い、次いで、画像データを受信すると、印刷を行うことになる。
【００６９】
また、図１３を用いて、プリンタ装置３０が印刷中でないときに、ディジタルスチルカメラ１０−１、１０−２の２台から印刷要求がある場合の他の例を説明する。
【００７０】
画像格納装置２０は、ステップＳ１３１において、プリントサーバ５４ｂでディジタルスチルカメラ１０−１のプリントクライアント４４ｂから送信された印刷スタート要求を受信すると、次いで、ステップＳ１３２において、印刷スタート要求をプリンタ装置３０に送信することなく、ストレージクライアント５４ａよりディジタルスチルカメラ１０−１のストレージサーバ４４ａに対して、印刷する画像データの画像データ要求を送信する。
【００７１】
そして、本例では、ディジタルスチルカメラ１０−１に対する画像データ要求に対する画像データの受信をする前にディジタルスチルカメラ１０−２からの印刷要求を受信することが、図１２の例と異なる点である。すなわち、画像格納装置２０は、ステップＳ１３３において、プリントサーバ５４ｂでディジタルスチルカメラ１０−２のプリントクライアント４４ｂから送信された印刷スタート要求を受信すると、次いで、ステップＳ１３４において、印刷スタート要求をプリンタ装置３０に送信することなく、ストレージクライアント５４ａよりディジタルスチルカメラ１０−２のストレージサーバ４４ａに対して、印刷する画像データの画像データ要求を送信する。
【００７２】
ディジタルスチルカメラ１０−１では、ステップＳ１３５において、ストレージデバイスであるメモリ１２より印刷のため選択された画像データをストレージサーバ４４ａに読み出し、ステップＳ１３６において、ストレージサーバ４４ａより画像格納装置２０のストレージクライアント５４ａに送信する。そして、画像格納装置２０は、ストレージクライアント５４ａでディジタルスチルカメラ１０−１からの画像データを受信すると、受信したディジタルスチルカメラ１０−１からの画像データを、ステップＳ１３７において、印刷待機のため、ストレージデバイスである画像格納部２３に格納する。また、ディジタルスチルカメラ１０−２でも、ステップＳ１３８において、ストレージデバイスであるメモリ１２より印刷のため選択された画像データをストレージサーバ４４ａに読み出し、ステップＳ１３９において、ストレージサーバ４４ａより画像格納装置２０のストレージクライアント５４ａに送信する。そして、画像格納装置２０は、ストレージクライアント５４ａでディジタルスチルカメラ１０−２からの画像データを受信すると、受信したディジタルスチルカメラ１０−２からの画像データを、ステップＳ１４０において、印刷待機のため、ストレージデバイスである画像格納部２３に格納する。
【００７３】
画像格納装置２０は、ステップＳ１４１において、プリントクライアント５４ｄで、プリンタ装置３０のプリントサーバ６４ｂから送信された印刷終了を示すステータス通知を受信すると、ステップＳ１４２において、受信したステータス通知を、プリントサーバ５４ｂに受け渡し、これを受けて、ステップＳ１４３において、プリントサーバ５４ｂは、プリントクライアント５４ｄに対して、画像格納部２３に格納されてているディジタルスチルカメラ１０ー１から送信された画像データを印刷するための印刷スタート要求をプリントクライアント５４ｄに受け渡す。そして、画像格納装置２０は、ステップＳ１４４において、プリントクライアント５４ｄからプリンタ装置３０のプリントサーバ６４ｂに対してディジタルスチルカメラ１０−１の画像データを印刷するための印刷スタート要求を送信する。なお、ここで、画像格納装置２０は、ディジタルスチルカメラ１０−１のユーザに対してこれから印刷が開始されることを知らせるため、ステータス通知を、ディジタルスチルカメラ１０−１に送信するようにしても良い。
【００７４】
この後、プリンタ装置３０では、上記図９のステップＳ４１からステップＳ４８で示したように、画像データ要求を画像格納装置２０に対して行い、次いで、画像データを受信すると、ディジタルスチルカメラ１０−１より送信され画像格納装置２０に格納されていた画像データの印刷を行い、次いで、ディジタルスチルカメラ１０−２から送信され画像格納装置２０に格納されていた画像データ要求を行い、次いで、画像データを受信すると、プリンタ装置３０で印刷を行うことになる。
【００７５】
なお、複数台のディジタルスチルカメラ１０から印刷スタート要求を受信した場合において、印刷を行う順番は、上述の例のように印刷スタート要求を受信した順番としても良いが、、設定により優先順位を決定し、順次プリンタ装置３０に転送し印刷するようにしても良い。
【００７６】
以上のようなプリントシステム１では、ディジタルスチルカメラ１０とプリンタ装置３０の間に画像格納装置２０を介することより、画像格納部２３による画像データ受信の間もプリンタ装置３０による印刷を同時進行で行うことができ、また、プリンタ装置３０による印刷の間もディジタルスチルカメラ１０による撮影や印刷開始操作を同時進行で行うことができ、作業効率の向上や作業時間の短縮を図ることができる。
【００７７】
また、画像格納装置２０の画像格納部２３は、ディジタルスチルカメラ１０から送信された画像データを一時的に格納するのみで、継続的に保存しない。したがって、ディジタルスチルカメラ１０とプリンタ装置３０との間に画像格納装置２０を介することより、ディジタルスチルカメラ１０より高解像度画像を受信する場合も、画像格納部２３が一杯になり送信した画像データを保存しきれないといった事態を回避することができる。更に、画像格納装置２０が無線通信でディジタルスチルカメラ１０から画像データを受け付けることにより、複数のディジタルスチルカメラ１０よりの印刷要求を連続的に受け付けることができる。更に、簡単な構成により、画像格納装置２０を従来のダイレクトプリント機能を備えたプリンタ等に接続するだけで利用することができる。
【図面の簡単な説明】
【００７８】
【図１】本発明を適用したプリントシステムの構成を示す図である。
【図２】上記プリントシステムに用いるディジタルスチルカメラのブロック図である。
【図３】本発明を適用した画像格納装置のブロック図である。
【図４】上記プリントシステムに用いるプリンタのブロック図である。
【図５】ディジタルスチルカメラと画像格納装置の通信プロトコルアーキテクチャを示す図である。
【図６】画像格納装置とプリンタの通信プロトコルアーキテクチャを示す図である。
【図７】１台のディジタルスチルカメラから画像格納装置に印刷する画像データを送信し、プリンタで印刷する例を示すフローチャートである。
【図８】１台のディジタルスチルカメラから画像格納装置に印刷する画像データを送信するに当たってプリンタが印刷中でないときの具体的処理を示す図である。
【図９】１台のディジタルスチルカメラから画像格納装置に印刷する画像データを送信するに当たってプリンタが印刷中のときの具体的処理を示す図である。
【図１０】２台のディジタルスチルカメラから画像格納装置に印刷する画像データを送信するに当たってプリンタが印刷中でないときの具体的処理を示す図である。
【図１１】図１０の変形例を示す図である。
【図１２】２台のディジタルスチルカメラから画像格納装置に印刷する画像データを送信するに当たってプリンタが印刷中のときの具体的処理を示す図である。
【図１３】図１２の変形例を示す図である。
【符号の説明】
【００７９】
１ プリントシステム、１０ ディジタルスチルカメラ、１１ 撮像部、１２ メモリ、１３ 操作部、１４ カメラ通信Ｉ／Ｆ、１５ カメラ制御部、２０ 画像格納装置、２１ 第１の通信Ｉ／Ｆ、２２ 第１の通信Ｉ／Ｆ、２３ 画像格納部、２４ ＲＡＭ、２５ 制御部、３０ プリンタ装置、３１ プリンタ通信Ｉ／Ｆ、３２ ＲＡＭ、３３ 印刷部、３４ 操作部、３５ 表示部、３６ 制御部、４１ ワイヤレスＬＡＮ物理層、４２ ＰＴＰトランスポート層、４３ ＤＰＳ層、４４ アプリケーション層、４４ａ ストレージサーバ、４４ｂ プリントクライアント、５１ ワイヤレスＬＡＮ物理層、５２ ＰＴＰトランスポート層、５３ ＤＰＳ層、５４ アプリケーション層、５４ａ ストレージクライアント、５４ｂ プリントサーバ、５４ｃ ストレージサーバ、５４ｄ プリントクライアント、５５ ＵＳＢ物理層、６１ ＵＳＢ物理層、６２ ＰＴＰトランスポート層、６３ ＤＰＳ層、６４ ６４ アプリケーション層、６４ａ ストレージクライアント、６４ｂ プリントサーバ
【図１】
2008219203.tif 000003
【図２】
2008219203.tif 000004
【図３】
2008219203.tif 000005
【図４】
2008219203.tif 000006
【図５】
2008219203.tif 000007
【図６】
2008219203.tif 000008
【図７】
2008219203.tif 000009
【図８】
2008219203.tif 000010
【図９】
2008219203.tif 000011
【図１０】
2008219203.tif 000012
【図１１】
2008219203.tif 000013
【図１２】
2008219203.tif 000014
【図１３】
2008219203.tif 000015